【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
神経系と相互作用する方法であって、
１又は２以上のセンサで個人の身体機能の正常及び異常な機能の信号を、前記信号の正確な神経生理学的マッピングの知識を必要とすることなく検出する段階と、
前記信号を数学的に処理する段階と、
処理された前記信号に関連付けて前記個人の身体機能に固有な記号表現を作成する段階と、
前記身体機能を強化又は回復させるため、前記表現に基づくエフェクタ応答を送出する段階と、
を含む方法。
【請求項２】
前記検出する段階及び前記送出する段階は、人間の身体の異なる領域に関わっている請求項１に記載の方法。
【請求項３】
前記回復させることが、生体の病気又は病状を治療することである請求項１に記載の方法。
【請求項４】
前記強化することが、外部機械を使用して身体機能を強化することである請求項１に記載の方法。
【請求項５】
神経系と相互作用するためのシステムであって、
プロセッサと、
前記プロセッサによって実行された時に、
１又は２以上のセンサで個人の身体機能の正常及び異常な機能の信号を、前記信号の正確な神経生理学的マッピングの知識を必要とすることなく検出する段階、
前記信号に数学的に関連付けて前記個人の身体機能に固有な記号表現を作成する段階、
前記表現に基づくエフェクタ応答を送出して、前記身体機能を強化又は回復させる段階、
を含む作動を実行する命令を格納するメモリと、
を含むシステム。
【請求項６】
前記身体機能は、視覚機能、視覚疾患進行、気分、覚醒、外傷性脳損傷の検出、機械を操作する方法の学習、エクササイズ、心臓電気的機能、心臓機械的機能、不顕性発作の検出、複合感覚運動活動、及びその組合せからなる群から選択される請求項１に記載の方法。
【請求項７】
前記１又は２以上のセンサは、
（ｉ）ＦＩＮＥ，ＥＣＧ電気センサ，ＥＥＧ電気センサ，及びこれらの組合せからなる群から選択される固体物理センサ、
（ｉｉ）静電気クリーム，圧電フィルムセンサ，プリント回路センサ，感光フィルム，感熱フィルム、及びこれらの組合せからなる群から選択される非固体物理センサ、
（ｉｉｉ）ビデオセンサ，赤外線センサ，温度センサ，ガスセンサ，及びこれらの組合せからなる群から選択される外部指向センサ、
（ｉｖ）（ｉ）〜（ｉｉｉ）の組合せ、
からなる群から選択される請求項１に記載の方法。
【請求項８】
前記１又は２以上のセンサは、経皮的又は侵襲性神経活動（神経電気活動），筋肉電気活動（ミオポテンシャル），機械活動（機械的受容体），皮膚抵抗，体温，身体ｐＨ，皮膚ｐＨ，口ｐＨ，胃腸ｐＨ，性尿器ｐＨ，酵素プロファイル，ＤＮＡプロファイル，心拍，換気（呼吸）数からなる群から選択される少なくとも１つを感知する生体センサである請求項１に記載の方法。
【請求項９】
前記１又は２以上のセンサは、神経系からの生体信号，別の個人の神経系からの生体信号，又は信号のデータベースからの生体信号を感知する外部センサである請求項１に記載の方法。
【請求項１０】
前記１又は２以上のセンサは、圧力，物理的な動き，温度，人間の正常な生理的範囲内の音，人間の正常な生理的範囲外の音，動物の生理的範囲内の音，可視スペクトルにおける電磁放射，不可視スペクトルにおける電磁放射，ガンマ放射，Ｘ線，電波，毒素，一酸化炭素，過度の二酸化炭素，放射線，アルファ放射線，ベータ放射線，生物毒素，大腸菌，炭疽菌からなる群から選択される情報を提供する外部センサである請求項１に記載の方法。
【請求項１１】
前記エフェクタ応答は、直接電気出力，力学的機械，神経刺激電極，サーボモータ，デジタル化電子信号，無線周波数送信，赤外線送信，視覚化データ，及びこれらの組合せからなる群から選択される要素を用いて形成される請求項１に記載の方法。
【請求項１２】
前記身体機能は、視界（視覚）情報を感知すること，聴力（聴覚）情報を感知すること，触覚情報を感知すること，臭い（嗅覚）情報を感知すること，筋肉運動，物体を物理的に移動すること，動きを使用した意図的コミュニケーション，デバイスを制御すること，心的覚醒，生体の病気，脳に影響を及ぼす生体の病気，眼に影響を及ぼす生体の病気，末梢神経系に影響を及ぼす生体の病気，四肢に影響を及ぼす生体の病気，肺に影響を及ぼす生体の病気，消化管に影響を及ぼす生体の病気，腎臓に影響を及ぼす生体の病気，及びこれらの組合せからなる群から選択される請求項１に記載の方法。
【請求項１３】
前記身体機能は、視覚機能、視覚疾患進行、気分、覚醒、外傷性脳損傷の検出、機械を操作する方法の学習、エクササイズ、心臓電気的機能、心臓機械的機能、不顕性発作の検出、複合感覚運動活動、及びその組合せからなる群から選択される請求項５に記載のシステム。
【請求項１４】
前記１又は２以上のセンサは、
（ｉ）ＦＩＮＥ，ＥＣＧ電気センサ，ＥＥＧ電気センサ，及びこれらの組合せからなる群から選択される固体物理センサ、
（ｉｉ）静電気クリーム，圧電フィルムセンサ，プリント回路センサ，感光フィルム，感熱フィルム、及びこれらの組合せからなる群から選択される非固体物理センサ、
（ｉｉｉ）ビデオセンサ，赤外線センサ，温度センサ，ガスセンサ，及びこれらの組合せからなる群から選択される外部指向センサ、
（ｉｖ）（ｉ）〜（ｉｉｉ）の組合せ、
からなる群から選択される請求項５に記載のシステム。
【請求項１５】
前記１又は２以上のセンサは、経皮的又は侵襲性神経活動（神経電気活動），筋肉電気活動（ミオポテンシャル），機械活動（機械的受容体），皮膚抵抗，体温，身体ｐＨ，皮膚ｐＨ，口ｐＨ，胃腸ｐＨ，性尿器ｐＨ，酵素プロファイル，ＤＮＡプロファイル，心拍，換気（呼吸）数からなる群から選択される少なくとも１つを感知する生体センサである請求項５に記載のシステム。
【請求項１６】
前記１又は２以上のセンサは、神経系からの生体信号，別の個人の神経系からの生体信号，又は信号のデータベースからの生体信号を感知する外部センサである請求項５に記載のシステム。
【請求項１７】
前記１又は２以上のセンサは、圧力，物理的な動き，温度，人間の正常な生理的範囲内の音，人間の正常な生理的範囲外の音，動物の生理的範囲内の音，可視スペクトルにおける電磁放射，不可視スペクトルにおける電磁放射，ガンマ放射，Ｘ線，電波，毒素，一酸化炭素，過度の二酸化炭素，放射線，アルファ放射線，ベータ放射線，生物毒素，大腸菌，炭疽菌からなる群から選択される情報を提供する外部センサである請求項５に記載のシステム。
【請求項１８】
前記エフェクタ応答は、直接電気出力，力学的機械，神経刺激電極，サーボモータ，デジタル化電子信号，無線周波数送信，赤外線送信，視覚化データ，及びこれらの組合せからなる群から選択される要素を用いて形成される請求項５に記載のシステム。
【請求項１９】
前記身体機能は、視界（視覚）情報を感知すること，聴力（聴覚）情報を感知すること，触覚情報を感知すること，臭い（嗅覚）情報を感知すること，筋肉運動，物体を物理的に移動すること，動きを使用した意図的コミュニケーション，デバイスを制御すること，心的覚醒，生体の病気，脳に影響を及ぼす生体の病気，眼に影響を及ぼす生体の病気，末梢神経系に影響を及ぼす生体の病気，四肢に影響を及ぼす生体の病気，肺に影響を及ぼす生体の病気，消化管に影響を及ぼす生体の病気，腎臓に影響を及ぼす生体の病気，及びこれらの組合せからなる群から選択される請求項１８に記載のシステム。
【請求項２０】
前記プロセッサは、中央処理ユニット（ＣＰＵ）、図形処理ユニット（ＧＰＵ）、又はこれらの組合せからなる組から選択される請求項５に記載のシステム。
【請求項２１】
前記１又は２以上のセンサは酸素脱飽和の外部センサであり、前記エフェクタは横隔神経を刺激するデバイスである請求項１に記載の方法。
【請求項２２】
前記１又は２以上のセンサは酸素脱飽和の外部センサであり、前記エフェクタ応答は横隔神経を刺激するデバイスを用いて形成される請求項５に記載のシステム。
【手続補正２】
【補正対象書類名】明細書
【補正対象項目名】０１０７
【補正方法】変更
【補正の内容】
【０１０７】
実施形態の以上の説明では、様々な特徴は、本発明の開示を概説するために単一実施形態にまとめて分類される。この開示の方法は、主張する実施形態が各特許請求の範囲に明示的に説明するよりも多くの特徴を有することを反映するように解釈すべきではない。逆に、特許請求の範囲が反映するように、革新的な主題は、単一の開示する実施形態の全ての特徴よりも少ない。従って、以下の特許請求の範囲は、これにより本明細書の実施形態の説明に組み込まれ、各特許請求の範囲は、個別の例示的実施形態としてそれ自体が独立している。以下に本発明の実施態様を記載する。
（実施態様１）神経系と相互作用する方法であって、１又は２以上のセンサで生体機能に関連付けられた信号を検出する段階と、前記信号を処理して表現を作成する段階と、前記記号表現に基づくエフェクタ応答を送出する段階と、物理的プロセスを制御する段階と、を含む方法。
（実施態様２）物理的プロセスが、生体機能である実施態様１に記載の方法。
（実施態様３）物理的プロセスが、外部機械の活動の制御である実施態様１に記載の方法。
（実施態様４）前記物理的プロセスは、外部機械と生体機能の組合せである実施態様１に記載の方法。
（実施態様５）前記表現は、記号コードである実施態様１に記載の方法。
（実施態様６）前記制御する段階は、機械的、電気的、又はコンピュータデバイスのうちの１又は２以上を制御する段階を伴う実施態様１に記載の方法。
（実施態様７）前記検出する段階及び前記送出する段階は、人間の身体の異なる領域に関わっている実施態様１に記載の方法。
（実施態様８）制御する段階が、生体の病気又は病状を治療する段階である実施態様１に記載の方法。
（実施態様９）制御する段階が、身体機能を直接的に強化する段階である実施態様１に記載の方法。
（実施態様１０）制御する段階が、外部機械を使用して身体機能を強化する段階である実施態様１に記載の方法。
（実施態様１１）タスクのパフォーマンスを強化する方法であって、１又は２以上のセンサで前記タスクに関連付けられた信号を検出する段階と、前記タスクの表現を作成する段階と、エフェクタ応答を送出して前記表現を変更する送出段階と、前記タスクのパフォーマンスを強化する段階と、を含む方法。
（実施態様１２）前記タスクは、自動車の操作、銃器の発砲、武器の発射、人工四肢の制御、外骨格の制御のうちの１又は２以上である実施態様１１に記載の方法。
（実施態様１３）信号が、前記身体の四肢のうちの１又は２以上を制御する脳領域の上に重なる頭皮上で検出される実施態様１１に記載の方法。
（実施態様１４）前記表現は、前記タスク中の神経発火のパターンからの直接的な数学的変換である実施態様１１に記載の方法。
（実施態様１５）前記表現は、感知された信号と前記タスクのパフォーマンスとの間の連想的学習を伴う実施態様１１に記載の方法。
（実施態様１６）エフェクタ応答の送出が、電気インパルスを伴う実施態様１１に記載の方法。
（実施態様１７）送出段階が、デジタルデバイスを制御するために送出される電気インパルスを伴う実施態様１１に記載の方法。
（実施態様１８）パフォーマンスを強化する段階が、動きが制限された時に前記タスクを実行する段階を含む実施態様１１に記載の方法。
（実施態様１９）動きの制限が、発作に起因する実施態様１８に記載の方法。
（実施態様２０）動きの制限が、物理的障害物に起因する実施態様１８に記載の方法。
（実施態様２１）病気を治療する方法であって、１又は２以上のセンサで前記病気に関連付けられた信号を検出する段階と、前記病気のコア記号表現を作成する段階と、検出された信号と前記病気間の前記表現を変更するために身体の領域を刺激する段階と、前記病気を治療する段階と、を含む方法。
（実施態様２２）前記病気は、人間の身体の四肢に影響を及ぼす発作である実施態様２１に記載の方法。
（実施態様２３）信号が、前記影響された四肢上で検出される実施態様２２に記載の方法。
（実施態様２４）前記表現は、タスク中の神経発火のパターンから直接的に変換される実施態様２１に記載の方法。
（実施態様２５）前記表現は、タスク中の神経発火のパターンから直接的には変換されない実施態様２１に記載の方法。
（実施態様２６）刺激する段階が、タスクに関連付けられた脳領域の上に重なる頭皮に送出される電気インパルスを伴う実施態様２１に記載の方法。
（実施態様２７）刺激する段階が、脳を含まないタスクに関連付けられた身前記体の領域へのエネルギの送出を伴う実施態様２１に記載の方法。
（実施態様２８）感知された神経活動を変換する方法であって、１又は２以上のセンサで生体機能に関連付けられた信号を検出する段階と、前記信号を処理して表現を作成する処理段階と、前記表現に基づいてエフェクタ応答を送出する段階と、生体機能を制御する段階と、を含む方法。
（実施態様２９）前記生体機能は、視界（視覚）情報を感知することである実施態様２８に記載の方法。
（実施態様３０）前記生体機能は、筋肉運動である実施態様２８に記載の方法。
（実施態様３１）信号が、電気的である実施態様２８に記載の方法。
（実施態様３２）処理段階が、相関関係を含む実施態様２８に記載の方法。
（実施態様３３）応答が、可視光に対して発現した応答を含む実施態様２８に記載の方法。
（実施態様３４）応答が、顔筋肉の動きを含む実施態様２８に記載の方法。
（実施態様３５）前記表現は、特定の数字パターンである実施態様２８に記載の方法。
（実施態様３６）前記生体機能は、聴力（聴覚）情報を感知することである実施態様２８に記載の方法。
（実施態様３７）前記生体機能は、触覚情報を感知することである実施態様２８に記載の方法。
（実施態様３８）前記生体機能は、臭い（嗅覚）情報を感知することである実施態様２８に記載の方法。
（実施態様３９）前記生体機能は、物体を物理的に移動することである実施態様２８に記載の方法。
（実施態様４０）前記生体機能は、動きを使用した意図的コミュニケーションである実施態様２８に記載の方法。
（実施態様４１）前記コミュニケーションは、デバイスを制御することである実施態様４０に記載の方法。
（実施態様４２）前記生体機能は、心的覚醒である実施態様２８に記載の方法。
（実施態様４３）前記生体機能は、生体の病気である実施態様２８に記載の方法。
（実施態様４４）前記生体の病気は、脳に影響を及ぼすものである実施態様４３に記載の方法。
（実施態様４５）前記生体の病気は、眼に影響を及ぼすものである実施態様４３に記載の方法。
（実施態様４６）前記生体の病気は、末梢神経系に影響を及ぼすものである実施態様４３に記載の方法。
（実施態様４７）前記生体の病気は、四肢に影響を及ぼすものである実施態様４３に記載の方法。
（実施態様４８）前記生体の病気は、心臓に影響を及ぼすものである実施態様４３に記載の方法。
（実施態様４９）前記生体の病気は、肺に影響を及ぼすものである実施態様４３に記載の方法。
（実施態様５０）前記生体の病気は、消化管に影響を及ぼすものである実施態様４３に記載の方法。
（実施態様５１）前記生体の病気は、腎臓に影響を及ぼすものである実施態様４３に記載の方法。
（実施態様５２）生体信号を使用してデバイスを制御する方法であって、１又は２以上のセンサを使用して身体からの生体信号を検出する段階と、前記センサから検出された生体信号を電子表現に変換する段階と、認識可能フォーマットで電子情報を出力してデバイスを電気機械的に制御する段階と、を含む方法。
（実施態様５３）前記電子表現は、標準デジタルコードである実施態様５２に記載の方法。
（実施態様５４）前記生体信号は、マニュアル又は挙動訓練を通じて特定パターンに対して調整することができる実施態様５２に記載の方法。
（実施態様５５）前記マニュアル又は挙動訓練は、対話型又は反復型生体アクションを含む実施態様５４に記載の方法。
（実施態様５６）生体アクションは、眼を瞬くこと、人の口を動かすこと、肛門又は骨盤の緊張を調節すること、手を動かすこと、腕を動かすこと、指を動かすこと、脚を動かすこと、足を動かすこと、爪先を動かすこと、又はその組合せを含む実施態様５５に記載の方法。
（実施態様５７）前記デバイスは、ビデオゲーム、遠隔制御器、機械的機械、電気的機械、及びその組合せである実施態様５２に記載の方法。
（実施態様５８）前記標準デジタルコードは、複数の市販デバイスに適合する実施態様５３に記載の方法。
（実施態様５９）視覚機能を測定する方法であって、生体知覚活動の生体信号を検出する段階と、これらの信号を処理して知覚の定量的尺度を与える段階と、前記知覚活動の表現を作成する段階と、任意的に、前記表現を使用して最適治療を決定する段階と、を含む方法。
（実施態様６０）最適治療が、知覚活動の正常値のデータベースを使用して決定される実施態様５９に記載の方法。
（実施態様６１）前記表現は、知覚活動の変化を決定するために経時的に追跡される実施態様５９に記載の方法。
（実施態様６２）前記変化は、最適治療を決定するのに使用される実施態様６１に記載の方法。
（実施態様６３）知覚活動は、視覚、聴覚、触覚、嗅覚、味覚、又はその組合せである実施態様５９に記載の方法。
（実施態様６４）前記表現は、覚醒、気分、感情、身体機能、脳しんとう、又はその組合せを決定するのに使用することができる実施態様５９に記載の方法。
（実施態様６５）特定の人間パフォーマンスを改善する方法であって、特定機能を担う脳の各部分に関連付けられた身体の領域を識別する段階と、前記身体の前記領域に近接して低エネルギ刺激電極を置く段階と、前記電極を通して刺激を印加し、前記脳の前記部分を活性化する段階と、前記脳の前記部分に関連するパフォーマンスの変化を測定する段階と、を含む方法。
（実施態様６６）前記脳の部分は、覚醒を担う実施態様６５に記載の方法。
（実施態様６７）前記脳の部分は、気分を担う実施態様６５に記載の方法。
（実施態様６８）前記脳の部分は、感情を担う実施態様６５に記載の方法。
（実施態様６９）前記脳の部分は、身体機能を担う実施態様６５に記載の方法。
（実施態様７０）前記脳の部分は、脳しんとうを担う実施態様６５に記載の方法。
（実施態様７１）神経系と相互作用するためのシステムであって、プロセッサと、前記プロセッサによって実行された時に、１又は２以上のセンサで生体機能に関連付けられた信号を検出する段階、前記信号を処理して表現を作成する段階、前記記号表現に基づくエフェクタ応答を送出する段階、及び物理的プロセスを制御する段階、を含む作動を実行する命令を格納するメモリと、を含むシステム。
（実施態様７２）タスクのパフォーマンスを強化するシステムであって、プロセッサと、前記プロセッサによって実行された時に、１又は２以上のセンサで前記タスクに関連付けられた信号を検出する段階、前記タスクの表現を作成する段階、前記表現を修正するためのエフェクタ応答を送出する段階、及び前記タスクのパフォーマンスを強化する段階、を含む作動を実行する命令を格納するメモリと、を含むシステム。
（実施態様７３）病気を治療するシステムであって、プロセッサと、前記プロセッサによって実行された時に、１又は２以上のセンサで前記病気に関連付けられた信号を検出する段階、前記病気のコア記号表現を作成する段階、検出された信号と前記病気間の前記表現を変更するために身体の領域を刺激する段階、及び前記病気を治療する段階、を含む作動を実行する命令を格納するメモリと、を含むシステム。
（実施態様７４）感知された神経活動を変換するためのシステムであって、プロセッサと、前記プロセッサによって実行された時に、１又は２以上のセンサで生体機能に関連付けられた信号を検出する段階、前記信号を処理して表現を作成する段階、前記表現に基づいてエフェクタ応答を送出する段階、及び生体機能を制御する段階、を含む作動を実行する命令を格納するメモリと、を含むシステム。
（実施態様７５）生体信号を使用してデバイスを制御するためのシステムであって、プロセッサと、前記プロセッサによって実行された時に、１又は２以上のセンサを使用して身体からの生体信号を検出する段階、前記センサから検出された生体信号を電子表現に変換する段階、及び認識可能フォーマットで電子情報を出力してデバイスを電気機械的に制御する段階、を含む作動を実行する命令を格納するメモリと、を含むシステム。
（実施態様７６）視覚機能を測定するシステムであって、プロセッサと、前記プロセッサによって実行された時に、生体知覚活動の生体信号を検出する段階、これらの信号を処理して知覚の定量的尺度を与える段階、前記知覚活動の表現を作成する段階、及び任意的に、前記表現を使用して最適治療を決定する段階、を含む作動を実行する命令を格納するメモリと、を含むシステム。
（実施態様７７）特定の人間パフォーマンスを改善するためのシステムであって、プロセッサと、前記プロセッサによって実行された時に、特定機能を担う脳の各部分に関連付けられた身体の領域を識別する段階、前記身体の前記領域に近接して低エネルギ刺激電極を置く段階、前記電極を通して刺激を印加し、前記脳の前記部分を活性化する段階、及び前記脳の前記部分に関連するパフォーマンスの変化を測定する段階、を含む作動を実行する命令を格納するメモリと、を含むシステム。
（実施態様７８）実施態様２〜１０のいずれか１項に記載の要素を含む実施態様１に記載の方法。
（実施態様７９）実施態様１２〜２０のいずれか１項に記載の要素を含む実施態様１１に記載の方法。
（実施態様８０）実施態様２２〜２７のいずれか１項に記載の要素を含む実施態様２１に記載の方法。
（実施態様８１）実施態様２９〜５１のいずれか１項に記載の要素を含む実施態様２８に記載の方法。
（実施態様８２）実施態様５３〜５８のいずれか１項に記載の要素を含む実施態様５２に記載の方法。
（実施態様８３）実施態様６０〜６４のいずれか１項に記載の要素を含む実施態様５９に記載の方法。
（実施態様８４）実施態様６６〜７０のいずれか１項に記載の要素を含む実施態様６５に記載の方法。
（実施態様８５）実施態様２〜１０のいずれか１項に記載の要素を含む実施態様７１に記載のシステム。
（実施態様８６）実施態様１２〜２０のいずれか１項に記載の要素を含む実施態様７２に記載のシステム。
（実施態様８７）実施態様２２〜２７のいずれか１項に記載の要素を含む実施態様７３に記載のシステム。
（実施態様８８）実施態様２９〜５１のいずれか１項に記載の要素を含む実施態様７４に記載のシステム。
（実施態様８９）実施態様５３〜５８のいずれか１項に記載の要素を含む実施態様７５に記載のシステム。
（実施態様９０）実施態様６０〜６４のいずれか１項に記載の要素を含む実施態様７６に記載のシステム。
（実施態様９１）実施態様６６〜７０のいずれか１項に記載の要素を含む実施態様７７に記載のシステム。